(57)【要約】【課題】  従来の技術では、利用可能な記録媒体に関する情報を表示する機能を持つ記録再生装置を実現できなかった。【解決手段】  前記課題を解決するため、本発明では、記録再生装置に、該記録再生装置において利用可能な記録媒体に関する情報を表示する機能を搭載する。前記記録媒体に関する情報を表示することにより、ユーザは各記録媒体の特長を容易に知ることができ、使い勝手の良い記録再生装置が実現できる。【選択図】  図１
2006338804.tif 000002
【特許請求の範囲】
【請求項１】
複数の異なる種類の記録媒体への映像情報の記録再生が可能であり、
撮像素子を有する映像情報入力手段と、該映像情報入力手段からの映像情報を記録媒体に記録する記録手段と、
前記記録媒体に記録された映像情報を再生する再生手段と、を有する記録再生装置において、
前記記録媒体自体と記録媒体上に記録された内容に関する、補助的に使われる情報を表示することが可能な記録再生装置。
【請求項２】
複数の異なる種類の記録媒体への映像情報の記録再生が可能であり、
撮像素子を有する映像情報入力手段と、該映像情報入力手段からの映像情報を記録媒体に記録する記録手段と、
前記記録媒体に記録された映像情報を再生する再生手段と、を有する記録再生装置において、
前記記録媒体の特長を示す情報を表示する機能を有することを特徴とする記録再生装置。
【請求項３】
同一種類の記録媒体に対して、
複数の異なる規格によって定められた記録形式で映像情報の記録再生が可能であり、
撮像素子を有する映像情報入力手段と、該映像情報入力手段からの映像情報を記録媒体に記録する記録手段と、
前記記録媒体に記録された映像情報を再生する再生手段と、を有する記録再生装置において、
前記記録媒体の特長を示す情報を表示する機能を有することを特徴とする記録再生装置。
【請求項４】
複数の異なる種類の記録媒体への映像情報の記録再生と
同一種類の記録媒体に対して、
複数の異なる規格によって定められた記録形式で映像情報の記録再生が可能であり、
撮像素子を有する映像情報入力手段と、該映像情報入力手段からの映像情報を記録媒体に記録する記録手段と、
前記記録媒体に記録された映像情報を再生する再生手段と、を有する記録再生装置において、
前記記録媒体の特長を示す情報を表示する機能を有することを特徴とする記録再生装置。
【請求項５】
請求項２乃至４のいずれかに記載の記録再生装置において、
記録媒体が装填された時に記録媒体の特長を示す情報を表示することを特徴とする記録再生装置。
【請求項６】
請求項５に記載の記録再生装置において、
装填された記録媒体の種類に対応した記録媒体の特長を示す情報を表示することを特徴とする記録再生装置。
【請求項７】
請求項２乃至４のいずれかに記載の記録再生装置において、
ユーザが操作をするための操作手段を有し、
前記記録媒体の特長を示す情報を表示するか否かをユーザが選択する選択手段を有することを特徴とする記録再生装置。
【請求項８】
請求項７に記載の記録再生装置において、
前記情報表示処理を実行するか否かをユーザが選択した選択結果を
情報表示処理を実行するか否かを判別するための判別情報として、
不揮発性メモリに記録することを特徴とする記録再生装置。
【請求項９】
請求項７又は請求項８に記載の記録再生装置において、
前記判別情報を記録媒体上に記録することを特徴とする記録再生装置。
【請求項１０】
請求項８又は請求項９に記載の記録再生装置において、
前記情報表示処理を実行する際には、前記記録した判別情報を読み出し、
前記判別情報を読み出した結果に応じて、
前記情報表示処理を実行するか否かを決定することを特徴とする記録再生装置。
【請求項１１】
請求項２乃至４のいずれかに記載の記録再生装置において、
前記記録媒体の特長を示す情報とは、
前記記録媒体の容量や記録フォーマットなどの規格化された情報と
前記規格化された情報に基づく記録媒体の利用ガイダンスであることを特徴とする記録再生装置。
【発明の詳細な説明】
【技術分野】
【０００１】
本発明は、記録再生装置に関する。
【背景技術】
【０００２】
コンピュータ用のデータやＡＶデータ等に代表される各種データを記憶する媒体として、光ディスクが知られている。光ディスクは、半導体レーザ等のレーザ光を光源として用い、レンズを介して集光した光を照射することで、情報の記録や再生を行うものである。
【０００３】
これらの光ディスクの一種であるＤＶＤ(Ｄｉｇｉｔａｌ  Ｖｅｒｓａｔｉｌｅ  Ｄｉｓｃ)には、様々な規格が存在する。それらの規格に対応した光ディスクとしては、例えば、読み取り専用のＤＶＤ−ＲＯＭ、一回の書き込みが可能なＤＶＤ−Ｒ、書き換え可能なＤＶＤ−ＲＷやＤＶＤ−ＲＡＭやＤＶＤ＋ＲＷなどが存在している。
【０００４】
また、近年は複数種類のＤＶＤにＡＶデータ等の情報を記録再生することが可能な記録再生装置が市販されている。
【０００５】
さらには、異なる種類の記録媒体、例えばＤＶＤとＨＤＤ（Ｈａｒｄ  Ｄｉｓｋ  Ｄｒｉｖｅ）にＡＶデータ等の情報を記録再生することが可能なレコーダが知られている（例えば、特許文献１）。
【０００６】
【特許文献１】特開２００５−０４４４２３号公報
【発明の開示】
【発明が解決しようとする課題】
【０００７】
近年、レコーダやビデオカメラに代表される記録装置の記録媒体としてＤＶＤなどのディスクメディアが登場してきている。それらの記録媒体は、記録済みデータを上書きする心配がない点、さらには記録したＡＶデータの再生や検索の容易さの点で、テープメディアに比べて有利である。従って、レコーダやビデオカメラの記録媒体は、従来のテープメディアに替わりディスクメディアが主流になりつつある。
【０００８】
また、記録再生装置の備える機能も多様性を増しており、一つの記録再生装置で複数種のＤＶＤに記録再生することが可能なものが登場してきている。これにより、例えば、一つのレコーダでＤＶＤ−ＲとＤＶＤ−ＲＡＭとＤＶＤ−ＲＷの記録再生が可能になっている。
【０００９】
さらに近年は、ＤＶＤだけでなく、ＨＤＤにも記録可能な記録装置が登場してきている。これは、大容量のＨＤＤを用いることでＡＶデータを長時間記録可能であり、また、記録した多数のＡＶデータのうち、特に気に入ったデータをＤＶＤにダビングして保存しておくことが可能であることから注目を集めている。このような記録装置は、例えば特許文献１に記載されている。
【００１０】
以上のように、記録再生装置と、そこで使用可能な記録媒体が多様化することにより、ユーザの選択肢の幅が広がっている。ユーザの選択肢が広がることのメリットは、例えばＤＶＤ−ＲとＤＶＤ−ＲＡＭに使い慣れたユーザが、ＤＶＤ−ＲＷにも記録再生が可能な記録再生装置を購入した場合、従来使用していたＤＶＤ−ＲとＤＶＤ−ＲＡＭとの再生互換が得られる上、新たにＤＶＤ−ＲＷも使用できるため、その楽しみが何倍にも膨らむことにある。
【００１１】
一方で、前述のように様々な記録媒体に対応した記録再生装置は、その選択肢の広さが、逆にユーザの混乱を招いてしまうというデメリットも存在する。各記録媒体は、それぞれが個性や特長を持ち、例えば記録時間や書き換え可能な回数が異なる。また、記録媒体ごとにデータ記録時のフォーマットが異なるし、ファイナライズが必要なものや不要なものが存在する上、各記録媒体の名前が似通っている点もユーザの混乱を助長する。このような混乱の結果、例えば、書き換え可能な記録媒体を書き換え不可能な記録媒体と取り違えたり、その逆に、書き換え不可能な記録媒体を書き換え可能な記録媒体と取り違えてしまう場合がある。
【００１２】
このような場合、大事な行事を撮影しようと意気込んで出かけたものの、書き換え可能な記録媒体ではなく、一回の録画しかできない記録媒体を持って来てしまったとなれば、目もあてられない。また、例えば、大事なデータを保存しておくには一回だけの録画が可能な安価な記録媒体、例えばＤＶＤ−Ｒが適しているが、書き換え可能で高価な他の媒体をデータ保存に利用するなどの不適切な使い方をしてしまう場合がある。また、例えばＤＶＤ−ＲやＤＶＤ−ＲＷではファイナライズをしないと他のプレーヤでの再生が行なえないが、前期の処理は一部の記録媒体に限って必要な処理であるため、その必要性や重要性を認識する機会が少なく、ファイナライズが必要な場合にファイナライズをしなかったり、ファイナライズが不要な記録媒体でもファイナライズをしようとするなどの問題が生じる。
【００１３】
これらは、記録媒体の特長を正しく理解していないことに起因し、このことが思わぬ操作ミスを招き、大事なデータを失ってしまうような最悪の事態が起こり得る。また、記録媒体の特長を正しく理解すれば、さらに快適なＡＶライフを送ることができる。
【００１４】
以上のことより、各記録媒体の特長をユーザが理解することが望ましいが、一部のヘビーユーザーはともかく、一般ユーザにそのことを期待するのは酷である。すなわち、様々な記録媒体に対応した記録再生装置の課題として、ユーザが各記録媒体の特長を理解して適切な使い方をするように促すことが望ましい。
【課題を解決するための手段】
【００１５】
上記目的は、特許請求の範囲に記載の発明によって達成される。
【発明の効果】
【００１６】
本発明によれば、記録再生装置の使い勝手が向上する。
【発明を実施するための最良の形態】
【００１７】
以下、一実施例を図面を用いて詳細に説明する。
図１は、本実施例にかかる記録再生装置のブロック図である。図１では、一例としてＤＶＤ等の光ディスクとＨＤＤを同時に用いたレコーダについて説明する。すなわち、記録再生装置に入力された映像情報と音声情報を、光ディスクにもＨＤＤにも記録可能であり、前記記録した情報を再生することができる。なお、この時には、各記録媒体で定められた規格に従って記録し、再生を行なうことができる。
【００１８】
ここで、ＤＶＤの種類は、特に限定されるものではない。すなわち、実施例はＤＶＤ±Ｒ、ＤＶＤ−ＲＡＭ、ＤＶＤ±ＲＷなどの各規格に準拠したすべてのディスクについて適用可能である。また、ＤＶＤに限定せず、例えば大容量の光ディスクであるＢＤ（Ｂｌｕ−ｒａｙ  Ｄｉｓｃ）でも良い。本実施例では、ＤＶＤ−ＲＡＭを使用した場合について説明する。
【００１９】
また、ＨＤＤは、記録再生装置に内蔵されていても良いし、着脱式でも良い。着脱式であれば、ＨＤＤに記録されたデータを持ち運ぶことができるため、データを他の機器に移すことも容易である。ただし、着脱式の場合は、着脱用のスロットなどが必要となるため、記録再生装置自体が大きくなってしまうというデメリットもある。また、ＨＤＤのかわりに、カード型の半導体メモリ等でも同様の効果が得られる。本実施例では、内蔵型のＨＤＤを使用した場合について説明する。
【００２０】
また、本実施例は据え置き型のレコーダを例に説明するが、適用範囲はレコーダに限定されるものではなく、ビデオカメラなどにも適用可能である。
【００２１】
図１において、１００はシステム全体を制御するシステム制御部である。１０１は映像入出力端子であり、１０２の映像圧縮伸張部において圧縮・伸張されたデジタル映像信号の入出力を行なう。１０３は音声入出力端子であり、１０４の音声圧縮伸張部において圧縮・伸張されたデジタル音声信号の入出力を行なう。１０５は多重/分離部であり、映像圧縮伸張部１０２及び音声圧縮伸張部１０４からそれぞれ出力される映像圧縮データと音声圧縮データを多重化してストリームデータを生成し、あるいはストリームデータを映像圧縮データと音声圧縮データに分離して、それぞれのデータを映像圧縮伸張部１０２及び音声圧縮伸張部１０４に入力する。
【００２２】
１０６は光ディスク用ドライバ部であり、多重/分離部１０５が生成したストリームデータや各種の情報ファイルをシステム制御部１００を介して所定の形式で光ディスク１０７に書き込み、あるいは光ディスク１０７に記録されているストリームデータや各種の情報ファイルを読み出す。１０８はＨＤＤ用ドライバ部であり、多重/分離部１０５が生成したストリームデータや各種の情報ファイルをシステム制御部１００を介して所定の形式でＨＤＤ１０９に書き込み、あるいはＨＤＤ１０９に記録されているストリームデータや各種の情報ファイルを読み出す。１１０はリモコン（図示せず）より発せられた制御信号を受信するリモコン受信部である。電源部１１１は、装置を駆動するための電池や交流電源といった記録再生装置を駆動する電源を供給する。
【００２３】
ここで、映像圧縮伸張部１０２、音声圧縮伸張部１０４、多重／分離部１０５、光ディスク用ドライバ部１０６、ＨＤＤ用ドライバ部１０８は、回路としてハードウエア的に動作を実行する構成にしても良いし、システム制御部１００にプログラムとして記憶し、ソフトウエア的に処理を実行する構成としても良い。
【００２４】
光ディスク１０７及びＨＤＤ１０９には、映像情報や音声情報といったＡＶデータをデジタル的に情報量圧縮したファイルや、それらのＡＶデータの管理情報などが記録されている。それらの構造の一例について、図２を用いて説明する。
【００２５】
図２は、本実施例にかかる光ディスク上のディレクトリ及びファイル構造の一例を示したものである。ルートディレクトリ２００の下にリアルタイム記録用のサブディレクトリ２０１が配置され、生成されたＡＶデータのファイルや前記ＡＶデータの管理情報ファイルは全てサブディレクトリ２０１の下に置かれる。動画像ファイル２０３は、動画像データあるいは動画像データと同録の音声データが、符号化及び多重化されてＡＶデータとして記録されるファイルである。一般的に、前記符号化データはストリームデータと呼ばれる。動画像ファイル２０３は、初めて動画像データを記録する時に生成され、それ以後、新たに動画像データを記録する場合には、そのデータが動画像ファイル２０３に追記される。すなわち、同一ディスクに動画像データを記録する場合、記録する度に新たな動画像ファイルが生成されるのではなく、一つの動画像ファイルに新たな動画像データが追記されるのである。
【００２６】
また、静止画像ファイル２０４は、静止画像データあるいは静止画像データと同録の音声データが、符号化及び多重化されたストリームデータが、ＡＶデータとして記録されるファイルである。この静止画像ファイル２０４も前述の動画像ファイル２０３と同様に、新たに静止画像データが記録される場合には、別ファイルが生成されるのではなく、一つの静止画像ファイル２０４に追記される。
【００２７】
管理情報ファイル２０２は、動画像ファイル２０３及び静止画像ファイル２０４の管理情報が書かれたファイルである。具体的には、各データのアドレス情報や属性情報、さらには符号化パラメータ情報や編集時の再生リスト情報などが書かれており、光ディスク１０７から動画像ファイル２０３及び静止画像ファイル２０４を再生する際には、管理情報ファイル２０２の情報に基づいて実行される。従って、管理情報ファイル２０２の内容と動画像ファイル２０３あるいは静止画像ファイル２０４の内容との関係は、厳密に対応している必要がある。
【００２８】
また、管理情報バックアップファイル２０５は、管理情報ファイル２０２と同一の内容が書かれており、管理情報ファイル２０２のバックアップとして用いられる。これは、例えば、動画の記録中に不慮の電源遮断などが発生した場合、前記管理情報バックアップファイルの情報に基づき、電源遮断前の状態に復帰するために用いられる。
【００２９】
なお、本実施例は光ディスク１０７としてＤＶＤ−ＲＡＭを用いた場合について説明しており、図２のディレクトリ及びファイルの構造はＤＶＤ−ＲＡＭの規格に沿ったものである。しかし、実施例は、光ディスク１０７としてＤＶＤ−ＲＡＭ以外の光ディスクを用いることが可能であり、この場合はＤＶＤ−ＲＷならＤＶＤ−ＲＷの規格に沿ったディレクトリ及びファイル構造で各種の情報が記録されることになる。
【００３０】
次に、図１に示した記録再生装置のＡＶデータ記録時の動作を以下に説明する。
なお、ここではＡＶデータを光ディスク１０７に記録する場合を例に説明する。
【００３１】
ユーザがリモコン（図示せず）により記録開始を指示すると、リモコンからの記録開始指示はリモコン受信部１１０により受信され、システム制御部１００に入力される。
【００３２】
システム制御部１００は、記録開始指令を受信すると、システム制御部内の記録動作プログラムにより記録動作を開始する。
システム制御部１００は、入力された映像データと音声データを、それぞれ映像入出力端子１０１、音声入出力端子１０３から取得する。取得した映像データと音声データは、それぞれ映像圧縮伸張部１０２及び音声圧縮伸張部１０４に供給され、所定のパラメータを用いて映像及び音声の圧縮処理が行なわれる。映像圧縮伸張部１０２と音声圧縮伸張部１０４で生成された映像圧縮データと音声圧縮データは、多重/分離部１０５において多重化され、ストリームデータを生成する。次に、生成されたストリームデータは、システム制御部から図１には図示していないバッファ等を介して光ディスク用ドライバ部１０６から光ディスク１０７に順次記録される。
【００３３】
上記の処理の繰り返しにより、光ディスク１０７に所望の映像信号及び音声信号のストリームをＡＶデータとして記録する。
【００３４】
また、記録時に生成されるストリームデータファイルの管理情報ファイルについては、ＡＶデータと共にリアルタイムに記録することが難しい。そこで、前記ＡＶデータの管理情報を図１には図示していない一時退避用のバッファ等に展開しておき、前記ＡＶデータの記録終了後に、前記バッファ等に展開した管理情報を光ディスク１０７に記録する。
【００３５】
なお、本実施例ではＡＶデータをＨＤＤ１０９に記録することも可能である。この場合、前述の光ディスク１０７への記録手順とＡＶデータの書き込み先が異なる以外は、その処理手順に大きな違いはないため、詳細な説明は割愛する。
【００３６】
次に、図１に示した記録再生装置の再生時の動作について説明する。
なお、ここでは光ディスク１０７からＡＶデータの再生を行なう場合を例に説明する。
【００３７】
まず、再生装置に光ディスク１０７がセットされ、ユーザから再生開始指示指令が発行される。再生開始指示指令は、例えば、リモコン（図示せず）の再生開始ボタンにより実行される。リモコンより発行された再生開始指示は、リモコン受信部１１０を介してシステム制御部１００に入力される。その指示を受けたシステム制御部１００では、内部のＲＯＭ（Ｒｅａｄ  Ｏｎｌｙ  Ｍｅｍｏｒｙ）に内蔵されたプログラムを起動し、再生開始指示指令に対応した再生動作を開始する。
【００３８】
再生動作を開始すると、システム制御部１００は、管理情報ファイル２０２の情報に基づき、ユーザから指定されたストリームファイルとその再生開始位置を特定し、光ディスク用ドライバ部１０６を介して光ディスク１０７からデータを読み出す。光ディスク１０７から読み出されたＡＶデータは、図１には図示していないバッファ等を介して、順次、多重/分離部１０５に入力される。多重/分離部１０５は、供給されたＡＶデータを、映像データと音声データとに分離し、それぞれのデータを映像圧縮伸張部１０２及び音声圧縮伸張部１０４に供給する。映像圧縮伸張部１０２及び音声圧縮伸張部１０４では、供給された映像データ及び音声データを伸張した後、それぞれのデータを映像入出力端子１０１及び音声入出力端子１０３から出力する。
【００３９】
システム制御部１００は、以上のような処理を繰り返して実行することで、ＡＶデータの再生を行なう。
なお、本実施例ではＨＤＤ１０９に記録されたＡＶデータを再生することも可能である。この場合、前述の光ディスク１０７からの再生手順とＡＶデータの読み出し元が異なる以外は、その処理手順に大きな違いはないため、詳細な説明は割愛する。
【００４０】
以上、述べたように、本実施例にかかる記録再生装置では、様々な種類の光ディスク、またはＨＤＤやその他の記録媒体に対して、ＡＶデータの記録と再生を行なうことが可能である。このように、何種類もの記録媒体を使用可能な記録再生装置では、各記録媒体の特長を表示したり、使用可能な記録媒体を比較した表などを表示すると、ユーザにとって非常に便利で使い勝手が良い。
【００４１】
記録媒体に関する情報表示例を図３乃至図８を用いて、以下に説明する。
図３は記録再生装置に装填された記録媒体の特長を表示した図の一例である。図３の例では、記録再生装置にＤＶＤ−ＲＡＭが装填された場合に、記録媒体であるＤＶＤ−ＲＡＭの特長を図３-ａから図３-ｃまで順次表示する。この時の表示方法の例として、ユーザの操作による表示が挙げられる。すなわち、図３-ａを表示した後、ユーザの操作を受け付ける状態に遷移し、ユーザの操作が行なわれたならば、その操作内容に応じた処理を実行すれば良い。この時の動作フローの例を図４に示す。
【００４２】
図４では、ステップＳ４００で記録媒体情報の表示を開始し、ステップＳ４０１でＮ番目のメディア情報ページを表示する。次に、ステップＳ４０２でユーザの操作が行なわれたか否かを調査する。ユーザの操作が行なわれていなければ、ステップＳ４０１でページを表示し続ける。一方、ユーザの操作が行なわれていたならば、その操作内容を調査する。まず、ステップＳ４０３で次ページに進む操作か否かを調査し、その操作に該当した場合はステップＳ４０６で次ページを表示し、該当しなかった場合はステップＳ４０４に進む。ステップＳ４０４では、前ページに戻る操作か否かを調査し、その操作に該当した場合はステップＳ４０７で前ページを表示し、該当しなかった場合はステップＳ４０５に進む。ステップＳ４０５では、記録媒体情報の表示を中止する操作か否かを調査し、その操作に該当した場合はステップＳ４０８でメディア情報表示を終了し、該当しなかった場合はステップＳ４０２に進み、再度ユーザの操作を待つ。
【００４３】
以上述べたような処理により、記録媒体情報の表示を実現することができる。
なお、このフローチャートは動作の一例を示したものであり、ユーザの操作内容を判断する順番や操作の内容等は、制限されるものではない。
【００４４】
また、メディア情報表示画面において、有効となる操作ボタンを表示すると、ユーザの使い勝手が向上する。図３の例では、画面下部に「戻る」「進む」「キャンセル」等の操作内容と対応するボタンの情報を表示するように構成している。
【００４５】
また、図４のフローチャートで示したような、マニュアル操作によって記録媒体情報表示ページを繰る以外にも、例えばタイマを用いて一定時間毎に自動でページを進める方法も考えられる。この時の動作フローの例を図５に示す。
【００４６】
図５では、ステップＳ５００で記録媒体情報の表示を開始し、ステップＳ５０１でＮ番目のメディア情報ページを表示する。次に、ステップＳ５０２で時刻情報を取得する。ここで、時刻情報とは、システム制御部１００に内蔵されているタイマから取得可能な時刻情報である。すなわち、ステップＳ５０２において取得した時刻情報は、ステップＳ５０２実行時の時刻情報である。次に、ステップＳ５０３において、時刻情報の差分を計算する。これは、予め記憶しておいたステップＳ５０１の開始時刻とステップＳ５０２で取得した時刻情報の差分を求めることで、ステップＳ５０１の記録媒体情報の表示開始からの経過時間を算出する処理である。次に、ステップＳ５０４において、ステップＳ５０１のメディア情報表示開始から所定時間が経過したか否かを調査する。これは、予め定めた所定時間とステップＳ５０３で算出した経過時間とを比較する処理である。
【００４７】
ここで、例えば、所定時間を１０秒に設定し、ステップＳ５０３で算出した経過時間が８秒であったとする。この場合、ページＮを表示し始めてから所定時間が経過していないため、再度ステップＳ５０２において時刻情報を取得する処理に戻る。そして、所定時間が経過するまで、この処理を繰り返す。ステップＳ５０４において所定時間が経過した場合には、ステップＳ５０５に進み、表示中の記録媒体情報ページが最終ページか否かを調査する。次のページがある場合には、ステップＳ５０６に進み、次のページの表示を開始する。以下、最終ページに到達するまで、所定時間のページ表示と次ページへの遷移を繰り返し実行する。一方、ステップＳ５０５の調査の結果、表示中のページが最終ページであった場合は、ステップＳ５０７に進み、記録媒体情報表示を終了する。
【００４８】
以上述べたような処理により、タイマを用いた記録媒体情報表示を実現することができる。
【００４９】
なお、ステップＳ５０４で使用する所定時間は、１０秒に設定した場合を例に説明したが、その所定時間は特に限定されるものではない。
【００５０】
また、図５の動作フローでは、一旦記録媒体情報表示を開始すると最終ページを表示するまで、その処理を終了することができない。そこで、例えば、動作フロー中の所定タイミングでユーザからの操作を調査し、ユーザが記録媒体情報表示を終了する操作をしていた場合、ステップＳ５０７に進み、記録媒体情報表示処理を終了するように構成するとユーザの使い勝手が向上する。
【００５１】
図６は、図３-ａの記録媒体情報表示画面を、構成要素毎に分割した図である。記録再生装置は、図６のようなデータを所定の表示位置・色・サイズで、それぞれを重ね合わせて図３-ａの記録媒体情報表示画面を作成し、表示する。
【００５２】
記録再生装置は、内部のメモリにフォントやテキストなどの文字データ、アイコンやウィンドウなどのグラフィックデータを保持している。もちろん、これらのデータを保持しておく場所は特に限定されるものではなく、随時読み出し可能であれば、どこに保持しておいても構わない。例えば、ＡＶデータ記録用に内蔵したＨＤＤに保持しても何ら問題はない。この場合、ＨＤＤの記憶容量は前述の内部メモリと比較して圧倒的に多いため、多くの文字データやグラフィックデータを保持することが可能である。その結果、さらに詳細なメディア情報を、より美麗なグラフィックで表示することが可能になる。また、これ以外にも、アニメーションを用いた記録媒体情報表示を行なうなど、様々な変化例が考えられる。
【００５３】
なお、記録媒体情報表示は、図６で示したように文字データやグラフィックデータを重ね合わせて表示するだけでなく、ストリーム再生によってグラフィック的な効果を得るように構成しても良い。これは、例えば、記録媒体情報表示用のストリームをＭＰＥＧ２形式で圧縮し、前記圧縮したストリームのＩピクチャを背景として表示し、その上に画像やテキスト等のサブピクチャを重ね合わせて再生すれば良い。このようなストリーム再生を行なった場合、映像データだけでなく、音声データも再生することが可能であり、グラフィック表示とは異なる独自の効果を得ることができる。
【００５４】
図７は図３の変化形の一つであり、記録再生装置に装填された記録媒体とは別の種類の記録媒体の特長を表示した図の一例である。図３では、記録再生装置に装填された記録媒体の特長を表示することで、その記録媒体をこれから利用するユーザに、有効な利用方法や用途などを説明するものであった。一方、図７では、記録再生装置に装填された記録媒体とは別の種類の記録媒体であり、かつ、本実施例にかかる記録再生装置で使用可能な記録媒体の特長を表示する。これは、例えば、常に一つの種類の記録媒体しか使用しないユーザに対して、他の種類の記録媒体の特長を知ってもらう効果が得られる。これにより、ユーザは自分の利用目的や財政状況に応じて、使用する記録媒体を選択できるだけの知識を得られ、記録再生装置と記録媒体を効果的に使いこなすことが可能になる。例えば、普段はＤＶＤ−Ｒを利用せず、ＤＶＤ−ＲＡＭに大事なデータを保存しているユーザが居たとする。大事なデータを書き換え可能なＤＶＤ−ＲＡＭに保存しておくのは、適切な使い方とは言えない。このようなユーザが、図７-ａの情報表示を見ることによって、これまでの無駄に気付き、以降はＤＶＤ−Ｒにデータを保存するようになるなど、適切な使い方をするようになるという効果が得られる。
【００５５】
以上述べたように、図７のような情報表示を行なうことによって、使い勝手の良い記録再生装置が得られる。
【００５６】
また、図８は本実施例にかかる記録再生装置で利用可能な記録媒体の特長を比較した表を、表示した例の一つである。図８は、図３や図７の記録媒体情報表示の例と比べて情報量が限られる。その一方で、図８の表示例では、ユーザは、ひと目で各記録媒体の特長を知ることができ、また、その特長を比較することによって、利用目的に最も近い記録媒体を選択することができる。
【００５７】
なお、図８の例では、ＤＶＤ同士を比較した情報しか表示していないが、該比較表にＤＶＤ以外の記録媒体を加えて表示しても良い。例えば、本実施例にかかる記録再生装置で利用可能なＤＶＤ以外の記録媒体であるＨＤＤを比較表に加えても良い。これによって、ＤＶＤとＨＤＤ、それぞれの特長がより一層明確化され、ユーザはそれぞれの特長を理解し、利用目的に応じて適切な記録媒体を選択して使用することが可能になる。その結果、本実施例にかかる記録再生装置の使い勝手は、さらに向上することになる。
【００５８】
以上述べたように、図８のような情報表示を行なうことによって、ひと目で各記録媒体の特長を知ることができ、使い勝手の良い記録再生装置が得られる。
【００５９】
次に、これまで述べてきた記録媒体情報を表示するタイミングについて説明する。
記録媒体情報表示を行なうタイミングは、特に限定されるものではなく、いつ表示しても良いが、表示タイミングを工夫することによって、記録再生装置の使い勝手は一段と向上する。以下に、記録媒体情報の表示タイミングの例を示す。
【００６０】
例えば、記録再生装置にディスクが装填される度に表示しても良い。この時、表示する情報は図３や図７や図８などである。これにより、ユーザはディスクを装填する度に記録媒体に関する情報を得ることになり、各記録媒体への理解が深まる。
【００６１】
ただし、この表示方法にはデメリットもある。すなわち、ユーザは何度も同じ情報を見なければならないし、すでに記録媒体の特長を十分に理解した人には不要な情報であり、ディスクを装填する度に、前記記録媒体情報を見ることは煩わしいものに感じられる。
【００６２】
また、ディスクを装填し、すぐに録画を開始したい場合には、前記記録媒体情報を見終わらなければ録画を開始できないことが大きなデメリットとなる。特に、ビデオカメラのように即時応答性を求められる装置では、致命的な問題となる。
【００６３】
そこで、前記記録媒体情報表示を行なうか否かをユーザが選択できるようにすると良い。例えば、記録媒体情報の表示終了時に、図９に示すようなダイアログを表示し、次回以降も記録媒体情報の表示を行なうか否かを選択させる。また、ユーザが記録媒体情報の表示を行なうか否かを選択するのは、図９のようなダイアログに限定されるものではなく、例えば、図１０に示すようなメニュー画面から選択し、設定するようにしても良い。また、このとき、記録媒体毎に情報表示するか否かを設定するようにしても良い。例えば、ＤＶＤ−ＲＡＭなら表示するが、ＤＶＤ−ＲＷなら表示しないなど、各記録媒体に対して詳細な設定ができると便利である。
【００６４】
なお、記録媒体情報の表示に関して、ユーザが選択し、設定した情報は、記録再生装置の持つ不揮発性のメモリに記憶しておくと良い。これにより、記録再生装置の電源を切っても、前記不揮発性メモリに記憶した情報は消えず、一度設定した情報は、以後、ユーザが設定を変更するまで有効である。また、前記不揮発性メモリに記憶しておく情報は、ビット情報などの簡単なもので良い。例えば、記録媒体情報の表示を行なう場合には「１」、記録媒体情報の表示を行なわない場合には「０」とすれば良い。そして、ユーザが前記記録媒体情報の表示設定を変更した場合は、その変更内容に応じて、前記ビット情報を更新する。また、システム制御部１００は、所定のタイミングで前記ビット情報を調査し、その調査結果に応じて記録媒体情報の表示処理、または非表示処理とに切り替えれば良い。この時の動作フローを図１１に示す。
【００６５】
まず、ステップＳ１１００において、前記ビット情報の調査を開始する。ステップＳ１１０１の調査の結果、ビットがＯＮ、すなわち記録媒体情報の表示処理を実行する場合には、ステップＳ１１０２に進み、表示処理を実行する。一方、ステップＳ１１０１の調査の結果、ビットがＯＦＦの場合には、記録媒体情報の表示を実行せず、ステップＳ１１０３においてビット情報調査を終了する。
【００６６】
なお、ここでは前記ビット情報を不揮発性のメモリに記憶させたが、この記憶先は特に限定されるものではない。例えば、本実施例の記録再生装置に内蔵したＨＤＤ１０９を記憶先にしても良い。
【００６７】
また、その他の変化形として、光ディスク１０７など、記録媒体自体にビット情報を記憶させる方法も考えられる。この場合は、前述のような記録再生装置本体への記録媒体情報の表示及び非表示設定とは異なり、記録媒体毎に固有の設定が可能である。これにより、例えば、記録媒体をＤＶＤ−ＲＡＭとした場合、記録媒体Ａにはビット「１」、記録媒体Ｂにはビット「０」を記憶させれば、記録媒体Ａの装填時には記録媒体情報が表示されるが、記録媒体Ｂの装填時には記録媒体情報が表示されない。すなわち、記録媒体毎にビット情報を設定するため、同じ種類の記録媒体であっても、記録媒体情報の表示と非表示を切り替えることができる。この方法の利用例を以下に説明する。
【００６８】
まず、新品の記録媒体は全てビット「１」の状態にしておく。前記記録媒体を記録再生装置に装填すると、記録再生装置は前記ビット情報により、記録媒体情報の表示処理を実行する。そして、前記表示処理終了時に、前記記録媒体のビット情報を「０」に更新する。これにより、新品のディスクが初めて装填された場合には、必ず記録媒体情報の表示を行なうが、二回目以降は表示しないという動作を実現することができる。なお、ここでは前記情報表示処理終了時、前記記録媒体のビット情報を自動的に更新するようにしたが、もちろん、ユーザの意思を確認して更新するか否かを決定しても良い。
【００６９】
また、ビット情報以外の判別方法でも、同様の効果が得られる。その一つの方法として、図１２に示すようなディレクトリ構成において、メディア情報表示判別ファイル１２００を記録する例が挙げられる。メディア情報表示判別ファイル１２００は、特にファイル内容を記述する必要はなく、ファイルの存在自体を一つのフラグとして利用すれば良い。すなわち、記録再生装置では、メディア情報表示判別ファイル１２００が記録媒体上に存在していた場合、記録媒体情報を表示（あるいは非表示）し、存在していなかった場合、記録媒体情報を非表示（あるいは表示）すれば良い。この場合は、メディア情報判別ファイル１２００の作成及び削除が、前記ビット情報の更新に相当する処理となる。もちろん、メディア情報表示判別ファイル１２００に、記録媒体情報の表示及び非表示を判別する情報を記載しておいても良い。記載内容は、例えば、記録媒体情報表示を行なう場合には「１」、表示を行なわない場合には「０」などで良い。
【００７０】
なお、記録媒体上へのメディア情報表示判別ファイル１２００の記録場所は、特に限定されるものではなく、例えばルートディレクトリの直下に記録しても良い。また、メディア情報表示判別ファイル１２００は記録媒体上に記録するだけでなく、記録再生装置本体、例えばＨＤＤ１０９に記録しても良い。この場合、図９乃至図１０で示したようなユーザの選択結果をメディア情報表示判別ファイル１２００に反映させれば良い。
【００７１】
また、記録媒体毎に記録媒体情報の表示及び非表示設定を行なう方法として、記録媒体固有の識別情報を用いた判別例が挙げられる。ここで、記録媒体固有の識別情報とは、例えば、ＤＶＤなどの光ディスクに記録されているディスクＩＤである。前記記録媒体固有の識別情報と前記記録媒体情報の表示及び非表示の判別情報を関連付けて記憶する、すなわち、記録媒体Ａは記録媒体情報の表示を行なう、という情報を記憶しておけば良い。また、これらの情報の記憶先は、記録再生装置に内蔵された各種メモリやＨＤＤ１０９など、特に限定されない。また、これらの情報の記憶方法として、例えば、テーブルとして記憶しておけば容易に情報を検索し、取得することが可能である。
【００７２】
また、記録媒体情報表示タイミングの他の例としては、記録再生装置の電源をオフにする場合が挙げられる。具体的には、ユーザから電源をオフにするための操作を受けた後、通常ならば、すぐに電源をオフにするが、その前に記録媒体情報を表示する。前述の記録媒体装填時に記録媒体情報の表示を行なう場合は、すぐに録画開始したくてもできないというデメリットがあったが、電源オフ時であれば、このようなデメリットを回避することができる。
【００７３】
また、予め定めた期間が経過する毎に、記録媒体情報の表示を行なうようにしても良い。これは、例えば、ある記録媒体の情報表示を実行してから、一定期間、例えば３０日経過するまでは、すべての記録媒体情報の表示を実行せず、３０日が経過したら、再度記録媒体情報の表示を行なうものである。これを実現するためには、記録媒体情報の表示を実行した日時情報を記憶しておく必要がある。これは、記録再生装置に内蔵されたタイマを用い、所定のメモリに記憶しておけば良い。そして、前記記録した日時情報と現在の日時情報とを比較して、前回記録媒体情報の表示を実行したときからの経過時間を算出し、前記経過時間が予め設定した基準に達していた場合に限り、記録媒体情報の表示を実行する。この効果として、例えば、ユーザは何度も続けて同じ情報を見る必要がないこと、さらには、ユーザが前記情報を忘れた頃に表示することで、再度、各記録媒体についての理解を促すことができる。
【００７４】
また、記録再生装置が備えるデモンストレーション機能の中で、各種の記録媒体情報表示を行なっても良い。なお、デモンストレーション機能とは、記録再生装置の特長や機能や使い方を紹介する映像を再生する機能であり、例えば、記録再生装置の電源を入れたまま、何も操作せずに放置した場合などに実行される機能である。
【００７５】
また、例えば、ＤＶＤ−Ｒのファイナライズ処理など、長い処理時間を要する処理の処理時間を利用して、記録媒体情報の表示を行なっても良い。ファイナライズ処理は、録画時間によって処理時間が異なるが、通常、数分の処理時間を要する。そこで、一方でファイナライズ処理を実行しつつ、他方で記録媒体情報の表示を実行すれば良い。この時、ファイナライズの進捗を示すための情報表示と前記記録媒体情報の表示を同時に表示すると、非常に使い勝手が良い。
【００７６】
なお、これまで示した例では、記録媒体情報表示用の各種データやプログラム等は、すべて本実施例にかかる記録再生装置内に閉じていたが、前記記録媒体情報表示用のデータやプログラムを外部の要因に持たせても良い。例えば、前記記録媒体情報表示用のデータやプログラムをＣＤ−ＲＯＭやＤＶＤ−ＲＯＭなどの安価な媒体に記録し、本実施例にかかる記録再生装置と同梱して販売しても良い。また、前記媒体は本実施例にかかる記録再生装置と再生互換性を持つ媒体であることが望ましい。これにより、ユーザは、前記媒体に記録された記録媒体情報を、いつでも見たいときに、何度でも見ることができる。
【００７７】
このような方法でも、前記記録媒体情報表示用のデータやプログラムを、すべて記録再生装置内に持っていた場合と同等の効果が得られる。
【００７８】
なお、以上述べたすべての実施例は、それぞれ個別に実行しても十分な使い勝手向上効果が得られるが、それらを組み合わせることによって、より一層効果が高まる場合もある。そして、それらの組み合わせは、特に限定されるものではなく、本発明にかかる記録再生装置では、あらゆる組み合わせで適用可能である。
【００７９】
実施例では、異なる複数種の記録媒体に対してＡＶデータを記録再生することが可能な機器において、該機器で使用可能な記録媒体の特長など、ＤＶＤの規格や各記録媒体の相違点について十分な理解をしていないユーザにとって有益な情報を表示するようにした。このようにすることで、記録再生装置の使い勝手の向上を図ることができる。
【図面の簡単な説明】
【００８０】
【図１】記録再生装置のブロック図
【図２】光ディスク上のディレクトリ構造
【図３】メディア情報表示（装填されたメディアの情報表示）
【図４】ユーザ操作によるメディア情報表示更新処理フロー
【図５】所定時間経過毎のメディア情報表示更新処理フロー
【図６】メディア情報表示用グラフィックの構成図
【図７】メディア情報表示（装填されたメディア以外の情報表示）
【図８】メディア情報表示（メディア比較表による情報表示）
【図９】ダイアログからのメディア情報表示/非表示設定
【図１０】メニューからのメディア情報表示/非表示設定
【図１１】ビット情報によるメディア情報表示/非表示判別処理フロー
【図１２】光ディスク上のメディア情報判別ファイル配置例
【符号の説明】
【００８１】
１００…システム制御部、１０１…映像入出力端子、１０２…映像圧縮伸張部、１０３…音声入出力端子、１０４…音声圧縮伸張部、１０５…多重/分離部、１０６…光ディスク用ドライバ部、１０７…光ディスク、１０８…ＨＤＤ用ドライバ部、１０９…ＨＤＤ、１１０…リモコン受信部、１１１…電源部、２００…ルートディレクトリ、２０１…サブディレクトリ、２０２…管理情報ファイル、２０３…動画像ファイル、２０４…静止画像ファイル、２０５…管理情報バックアップファイル、Ｓ４００〜Ｓ４０８…図４の処理フロー内容、Ｓ５００〜Ｓ５０７…図５の処理フロー内容、Ｓ１１００〜Ｓ１１０３…図１１の処理フロー内容、１２００…メディア情報表示判別ファイル
【図１】
2006338804.tif 000003
【図２】
2006338804.tif 000004
【図３】
2006338804.tif 000005
【図４】
2006338804.tif 000006
【図５】
2006338804.tif 000007
【図６】
2006338804.tif 000008
【図７】
2006338804.tif 000009
【図８】
2006338804.tif 000010
【図９】
2006338804.tif 000011
【図１０】
2006338804.tif 000012
【図１１】
2006338804.tif 000013
【図１２】
2006338804.tif 000014